(57)【要約】【課題】印刷用紙の天地方向と印刷画像の天地方向との関係を事前に使用者に確認させ、かつ容易に意図した印刷物を得ることができるようにする。【解決手段】記憶媒体に記録した画像を印刷装置に送信して、印刷装置に印刷を実行させる撮像装置において、印刷装置で印刷する画像６００をＬＣＤ１０１において表示し、更に印刷に用いる印刷用紙の天地方向を示す表示６０２を画像６００に重畳する。これにより、使用者は印刷実行前に印刷用紙の天地方向と印刷画像の方向を確認することができるため、印刷用紙の天地方向と印刷画像の天地方向とが異なるといった印刷の失敗を回避できる。【選択図】  図６
2009267973.tif 000002
【特許請求の範囲】
【請求項１】
記憶媒体に記録した画像を印刷装置において印刷用紙に印刷するために、画像を前記印刷装置に送信可能な撮像装置であって、
前記記憶媒体から印刷対象の画像を選択する選択手段と、
画像を表示するための表示手段と、
前記選択手段により選択された印刷対象の画像を前記印刷装置に送信する送信手段と、
印刷用紙の天地に関する天地情報を前記表示手段に表示される画像に重畳して表示させる表示制御手段と、
前記印刷用紙に対する画像の印刷方向を変更するための回転指示を入力する回転指示手段とを有し、
前記表示制御手段は、前記回転指示の入力に応じて、前記表示手段に表示されている画像に対する前記天地情報の表示位置を回転させて表示させることを特徴とする撮像装置。
【請求項２】
前記表示制御手段は、前記回転指示の入力に応じて、前記表示手段に表示されている画像に対する前記天地情報の表示位置を１８０度回転させて表示することを特徴とする請求項１に記載の撮像装置。
【請求項３】
前記表示制御手段は、前記回転指示の入力に応じて、前記画像は回転させずに前記天地情報を回転させて表示することを特徴とする請求項１または２に記載の撮像装置。
【請求項４】
前記表示制御手段は、前記回転指示の入力に応じて、前記天地情報は回転させずに前記画像を回転させて表示することを特徴とする請求項１または２に記載の撮像装置。
【請求項５】
さらに印刷用紙を選択する印刷用紙設定手段を有し、
前記表示制御手段は、前記印刷用紙設定手段によりポストカード用紙が選択された場合は、前記天地情報を画像に重畳して表示させることを特徴とする請求項１ないし４のいずれか１項に記載の撮像装置。
【請求項６】
さらに前記印刷装置にセットされている印刷用紙の情報を取得する用紙情報取得手段を有し、
前記表示制御手段は、前記用紙情報取得手段により前記印刷装置にポストカード用紙がセットされていることを示す情報を取得した場合は、前記天地情報を画像に重畳して表示させることを特徴とする請求項１ないし４のいずれか１項に記載の撮像装置。
【請求項７】
前記表示制御手段は、前記天地情報として、ポストカードの切手貼付位置を表示させることを特徴とする請求項５または６に記載の撮像装置。
【請求項８】
前記送信手段は、印刷対象の画像と共に前記回転指示手段により入力された回転指示に応じた回転情報を前記印刷装置に送信することを特徴とする請求項１ないし７のいずれか１項に記載の撮像装置。
【請求項９】
さらに前記回転指示に基づいて画像を回転させる回転手段を有し、
前記送信手段は、前記回転手段により回転された画像を前記印刷装置に送信することを特徴とする請求項１ないし７のいずれか１項に記載の撮像装置。
【請求項１０】
記憶媒体に記録された画像を印刷用紙に印刷するための印刷システムであって、
前記記憶媒体から印刷対象の画像を選択する選択手段と、
画像を表示するための表示手段と、
前記選択手段により選択された印刷対象の画像を印刷用紙に印刷する印刷手段と、
印刷用紙の天地に関する天地情報を前記表示手段に表示される画像に重畳して表示させる表示制御手段と、
前記印刷用紙に対する画像の印刷方向を変更するための回転指示を入力する回転指示手段とを有し、
前記表示制御手段は、前記回転指示の入力に応じて、前記表示手段に表示されている画像に対する前記天地情報の表示位置を回転させて表示させることを特徴とする印刷システム。
【請求項１１】
前記表示制御手段は、前記回転指示の入力に応じて、前記表示手段に表示されている画像に対する前記天地情報の表示位置を１８０度回転させて表示することを特徴とする請求項１０に記載の印刷システム。
【請求項１２】
前記表示制御手段は、前記回転指示の入力に応じて、前記画像は回転させずに前記天地情報を回転させて表示することを特徴とする請求項１０または１１に記載の印刷システム。
【請求項１３】
前記表示制御手段は、前記回転指示の入力に応じて、前記天地情報は回転させずに前記画像を回転させて表示することを特徴とする請求項１０または１１に記載の印刷システム。
【請求項１４】
さらに印刷用紙を選択する印刷用紙設定手段を有し、
前記表示制御手段は、前記印刷用紙設定手段によりポストカード用紙が選択された場合は、前記天地情報を画像に重畳して表示させることを特徴とする請求項１０ないし１３のいずれか１項に記載の印刷システム。
【請求項１５】
さらに前記印刷手段にセットされている印刷用紙の情報を取得する用紙情報取得手段を有し、
前記表示制御手段は、前記用紙情報取得手段によりポストカード用紙がセットされていることを示す情報を取得した場合は、前記天地情報を画像に重畳して表示させることを特徴とする請求項１０ないし１３のいずれか１項に記載の印刷システム。
【請求項１６】
前記表示制御手段は、前記天地情報として、ポストカードの切手貼り付け位置を表示させることを特徴とする請求項１４または１５に記載の印刷システム。
【請求項１７】
記憶媒体に記録した画像を印刷装置において印刷用紙に印刷するために、画像を前記印刷装置に送信可能な撮像装置であり、前記記憶媒体から印刷対象の画像を選択する選択手段と、画像を表示するための表示手段と、前記選択手段により選択された印刷対象の画像を前記印刷装置に送信する送信手段とを有する撮像装置の制御方法であって、
印刷用紙の天地に関する天地情報を前記表示手段に表示される画像に重畳して表示させる表示制御ステップと、
前記印刷用紙に対する画像の印刷方向を変更するための回転指示を入力する回転指示ステップと、
前記回転指示の入力に応じて、前記表示手段に表示されている画像に対する前記天地情報の表示位置を回転させて表示させるステップとを有することを特徴とする撮像装置の制御方法。
【請求項１８】
記憶媒体に記録された画像を印刷用紙に印刷するための印刷システムであり、前記記憶媒体から印刷対象の画像を選択する選択手段と、画像を表示するための表示手段と、前記選択手段により選択された印刷対象の画像を印刷用紙に印刷する印刷手段とを有する印刷システムの制御方法であって、
印刷用紙の天地に関する天地情報を前記表示手段に表示される画像に重畳して表示させる表示制御ステップと、
前記印刷用紙に対する画像の印刷方向を変更するための回転指示を入力する回転指示ステップと、
前記回転指示の入力に応じて、前記表示手段に表示されている画像に対する前記天地情報の表示位置を回転させて表示させるステップとを有することを特徴とする印刷システムの制御方法。
【請求項１９】
記憶媒体に記録した画像を印刷装置において印刷用紙に印刷するために、画像を前記印刷装置に送信可能な撮像装置であり、前記記憶媒体から印刷対象の画像を選択する選択手段と、画像を表示するための表示手段と、前記選択手段により選択された印刷対象の画像を前記印刷装置に送信する送信手段とを有する撮像装置の制御をコンピュータに実行さえるためのプログラムであって、
印刷用紙の天地に関する天地情報を前記表示手段に表示される画像に重畳して表示させる表示制御ステップと、
前記印刷用紙に対する画像の印刷方向を変更するための回転指示を入力する回転指示ステップと、
前記回転指示の入力に応じて、前記表示手段に表示されている画像に対する前記天地情報の表示位置を回転させて表示させるステップとをコンピュータに実行させるためのプログラム。
【請求項２０】
記憶媒体に記録された画像を印刷用紙に印刷するための印刷システムであり、前記記憶媒体から印刷対象の画像を選択する選択手段と、画像を表示するための表示手段と、前記選択手段により選択された印刷対象の画像を印刷用紙に印刷する印刷手段とを有する印刷システムの制御をコンピュータに実行させるためのプログラムであって、
印刷用紙の天地に関する天地情報を前記表示手段に表示される画像に重畳して表示させる表示制御ステップと、
前記印刷用紙に対する画像の印刷方向を変更するための回転指示を入力する回転指示ステップと、
前記回転指示の入力に応じて、前記表示手段に表示されている画像に対する前記天地情報の表示位置を回転させて表示させるステップとをコンピュータに実行させるためのプログラム。
【請求項２１】
さらに前記印刷対象の画像から印刷する領域を設定するトリミング手段を有し、
前記表示制御手段は、前記回転指示の入力に応じて、前記天地情報の表示位置を前記トリミング設定手段により設定された領域内で回転させて表示させることを特徴とする請求項１に記載の撮像装置。
【請求項２２】
さらに前記印刷対象の画像から印刷する領域を設定するトリミング手段を有し、
前記表示制御手段は、前記回転指示の入力に応じて、前記天地情報の表示位置を前記トリミング設定手段により設定された領域内で回転させて表示させることを特徴とする請求項１０に記載の印刷システム。
【発明の詳細な説明】
【技術分野】
【０００１】
本発明は、プリンタと直接接続して印刷を行う撮像装置、その制御方法及びプログラム、並びに印刷システム等に関するものである。
【背景技術】
【０００２】
近年、デジタルカメラとプリンタとをコンピュータを介さず直接接続して印刷動作を行わせるダイレクトプリントシステムの普及が急速に拡大している。
【０００３】
特許文献１及び特許文献２には、ダイレクトプリントシステムにおいて印刷を行う際の印刷用紙の天地方向と印刷画像の天地方向との関係に関する技術が開示されている。これら特許文献１及び特許文献２には、印刷用紙の天地方向を検出して印刷用紙が逆方向に挿入されたことを検出した場合に、一律に印刷画像を反転させることが記載されている。
【０００４】
また特許文献３には、デジタルカメラにおける画像合成時に撮影画像と合成画像の方向を一致させる技術が開示されている。
【０００５】
【特許文献１】特開２０００−１０８４５０号公報
【特許文献２】特開２００１−００１５８２号公報
【特許文献３】特許第３７８６２７１号公報
【発明の開示】
【発明が解決しようとする課題】
【０００６】
ダイレクトプリントシステムによる印刷の際には、印刷用紙に天地方向がある場合、印刷用紙の天地方向と印刷する画像の天地方向とが一致しないといった事象がよく発生する。
【０００７】
例えば葉書として投函することを想定している葉書用の印刷用紙では、印刷面の裏面には切手の添付位置の表示、郵便番号の表記位置の表示等が予め印刷されている。この様な印刷用紙を用いてその表面に画像を印刷しようとした場合、印刷用紙の天地方向と表面に印刷された印刷画像の天地方向とが一致しない場合がある。
【０００８】
またデジタルカメラを縦に構えて撮影した画像については撮影画像の天地方向は、そのときの姿勢に応じて１８０度異なる場合がある。このような場合においても、上述した葉書のような印刷用紙を用いてその表面に画像を印刷しようとした場合、印刷用紙の天地方向と印刷画像の天地方向とが一致しないことがあり、またその事前の確認にも手間がかかる。
【０００９】
特に上述した葉書のような印刷用紙は、その切手添付位置表示、郵便番号表記位置の印刷された面と、画像を印刷しようとする面とが表裏の状態にある。そのため、使用者にとっては、印刷用紙の天地方向と印刷画像の天地方向とが一致するかどうかが分かり難い場合があり、表裏の印刷が終了した後に印刷物を見て初めて、その天地関係が一致していないことに気が付くことが多かった。
【００１０】
このような天地方向が相反するといった意図しない印刷を回避する方法としては、使用者が印刷用紙の装着方向を意図的に変えること等が考えられる。しかしながら、手間のかかる作業であり、また上述のように印刷用紙の天地方向と印刷画像の天地方向とが一致しないことに気付かないことも多くあるため、事前に使用者に天地が一致しない旨を気付かせることが求められる。
【００１１】
本発明は係る実情に鑑みてなされたものであり、印刷用紙の天地方向と印刷画像の天地方向との関係を事前に使用者に確認させ、かつ容易に意図した印刷物を得ることができるようにすることを目的とする。
【課題を解決するための手段】
【００１２】
本発明の撮像装置は、記憶媒体に記録した画像を印刷装置において印刷用紙に印刷するために、画像を前記印刷装置に送信可能な撮像装置であって、前記記憶媒体から印刷対象の画像を選択する選択手段と、画像を表示するための表示手段と、前記選択手段により選択された印刷対象の画像を前記印刷装置に送信する送信手段と、印刷用紙の天地に関する天地情報を前記表示手段に表示される画像に重畳して表示させる表示制御手段と、前記印刷用紙に対する画像の印刷方向を変更するための回転指示を入力する回転指示手段とを有し、前記表示制御手段は、前記回転指示の入力に応じて、前記表示手段に表示されている画像に対する前記天地情報の表示位置を回転させて表示させることを特徴とする。
また、本発明の印刷システムは、記憶媒体に記録された画像を印刷用紙に印刷するための印刷システムであって、前記記憶媒体から印刷対象の画像を選択する選択手段と、画像を表示するための表示手段と、前記選択手段により選択された印刷対象の画像を印刷用紙に印刷する印刷手段と、印刷用紙の天地に関する天地情報を前記表示手段に表示される画像に重畳して表示させる表示制御手段と、前記印刷用紙に対する画像の印刷方向を変更するための回転指示を入力する回転指示手段とを有し、前記表示制御手段は、前記回転指示の入力に応じて、前記表示手段に表示されている画像に対する前記天地情報の表示位置を回転させて表示させることを特徴とする。
また、本発明の撮像装置の制御方法は、記憶媒体に記録した画像を印刷装置において印刷用紙に印刷するために、画像を前記印刷装置に送信可能な撮像装置であり、前記記憶媒体から印刷対象の画像を選択する選択手段と、画像を表示するための表示手段と、前記選択手段により選択された印刷対象の画像を前記印刷装置に送信する送信手段とを有する撮像装置の制御方法であって、印刷用紙の天地に関する天地情報を前記表示手段に表示される画像に重畳して表示させる表示制御ステップと、前記印刷用紙に対する画像の印刷方向を変更するための回転指示を入力する回転指示ステップと、前記回転指示の入力に応じて、前記表示手段に表示されている画像に対する前記天地情報の表示位置を回転させて表示させるステップとを有することを特徴とする。
また、本発明の印刷システムの制御方法は、記憶媒体に記録された画像を印刷用紙に印刷するための印刷システムであり、前記記憶媒体から印刷対象の画像を選択する選択手段と、画像を表示するための表示手段と、前記選択手段により選択された印刷対象の画像を印刷用紙に印刷する印刷手段とを有する印刷システムの制御方法であって、印刷用紙の天地に関する天地情報を前記表示手段に表示される画像に重畳して表示させる表示制御ステップと、前記印刷用紙に対する画像の印刷方向を変更するための回転指示を入力する回転指示ステップと、前記回転指示の入力に応じて、前記表示手段に表示されている画像に対する前記天地情報の表示位置を回転させて表示させるステップとを有することを特徴とする。
また、本発明のプログラムは、記憶媒体に記録した画像を印刷装置において印刷用紙に印刷するために、画像を前記印刷装置に送信可能な撮像装置であり、前記記憶媒体から印刷対象の画像を選択する選択手段と、画像を表示するための表示手段と、前記選択手段により選択された印刷対象の画像を前記印刷装置に送信する送信手段とを有する撮像装置の制御をコンピュータに実行さえるためのプログラムであって、印刷用紙の天地に関する天地情報を前記表示手段に表示される画像に重畳して表示させる表示制御ステップと、前記印刷用紙に対する画像の印刷方向を変更するための回転指示を入力する回転指示ステップと、前記回転指示の入力に応じて、前記表示手段に表示されている画像に対する前記天地情報の表示位置を回転させて表示させるステップとをコンピュータに実行させるためのプログラムである。
また、本発明のプログラムは、記憶媒体に記録された画像を印刷用紙に印刷するための印刷システムであり、前記記憶媒体から印刷対象の画像を選択する選択手段と、画像を表示するための表示手段と、前記選択手段により選択された印刷対象の画像を印刷用紙に印刷する印刷手段とを有する印刷システムの制御をコンピュータに実行させるためのプログラムであって、印刷用紙の天地に関する天地情報を前記表示手段に表示される画像に重畳して表示させる表示制御ステップと、前記印刷用紙に対する画像の印刷方向を変更するための回転指示を入力する回転指示ステップと、前記回転指示の入力に応じて、前記表示手段に表示されている画像に対する前記天地情報の表示位置を回転させて表示させるステップとをコンピュータに実行させるためのプログラムである。
【発明の効果】
【００１３】
本発明によれば、使用者が印刷実行前に印刷用紙の天地方向と印刷画像の方向を確認することができるため、印刷用紙の天地方向と印刷画像の天地方向とが異なるといった印刷の失敗を防ぐことができる。
【発明を実施するための最良の形態】
【００１４】
以下、本発明の実施の形態を説明する。
（第１の実施の形態）
図１は本発明の実施の形態に係るダイレクトプリントシステム（印刷システム）の構成を示す図である。図１において１００はデジタルカメラであり、１５０はプリンタである。
【００１５】
デジタルカメラ１００において、１０１はＬＣＤ等の表示装置（以下、ＬＣＤ）である。１０２はシャッターボタン、撮影モード選択スイッチ等を含む操作部材である。１０３はプリンタ１５０等の外部装置と通信を行い、データ等を送信可能とするための通信インタフェースである。
【００１６】
プリンタ１５０において、１５１はプリンタ１５０上に配置されたＬＣＤ等の表示装置（以下、ＬＣＤ）である。１５２は電源スイッチ、画像選択スイッチ等を含む操作部材である。１５３はデジタルカメラ１００と通信を行うための通信インタフェースであり、通信状態においてダイレクトプリントを可能とする。１５４はＰＣ（パーソナルコンピュータ）等の外部装置と通信を行うための通信インタフェースである。１５５は印刷物が排紙される排紙口である。
【００１７】
１５６は第一のメモリカードスロット、１５７は第二のメモリカードスロット、１５８は第三のメモリカードスロット、１５９は第四のメモリカードスロットである。１６０は印刷用紙が搬送される紙搬送路である。１６１は第一のメモリカードスロットに装着されるメモリカードである。
【００１８】
デジタルカメラ１００とプリンタ１５０は、有線又は無線等のネットワーク（１７０）により通信インタフェース１０３と通信インタフェース１５３とを介して接続する。デジタルカメラ１００とプリンタ１５０とが通信状態になった場合には、ダイレクトプリントシステムの接続規格であるピクトブリッジ規格等による接続状態となる。デジタルカメラ１００とプリンタ１５０とが通信状態を確立するためのネゴシエーション処理を完了すると、デジタルカメラ１００からの印刷指示によりプリンタ１５０がデジタルカメラ１００で選択された印刷対象の画像の印刷を行うダイレクトプリントの開始状態となる。
【００１９】
図２を用いてデジタルカメラ１００の構成について説明する。図２は、デジタルカメラ１００の構成を示すブロック図である。
【００２０】
図２において、２０１は光学レンズである。２０２は光電変換素子（撮像素子）であるＣＣＤである。２０３は蓄積電化ノイズを低減する相関二重サンプリング部と画像信号のゲインを調節する自動利得制御部とからなる信号処理部（ＣＤＳ／ＡＧＣ）である。２０４はフォーカスモータ、２０５はズームモータ、２０６モータドライバであり、これらにより光学レンズ２０１が進退方向に移動する。２０７はＬＣＤ１０１を駆動するＬＣＤドライバであり、メモリカード２１２に記録されている画像を表示させるための表示制御を行う。２０８はＲＯＭ、２０９はＲＡＭである。２１０は内蔵ストロボである。２１１はメモリカードスロットであり、２１２はメモリカードスロットに装着されるメモリカードである。２１３はデジタルカメラ１００を統括的に制御するＭＰＵ（マイクロプロセッサユニット）である。
【００２１】
このように構成されたデジタルカメラ１００の機能は、大別して撮影機能と再生機能とに分けられる。
【００２２】
デジタルカメラ１００の撮影機能について説明する。操作部材１０２中のシャッターボタンの操作をトリガーとして、光学レンズ２０１で集光された光学信号は、ＣＣＤ２０２で光学信号から電気信号に変換される。その後、該電気信号はＣＤＳ／ＡＧＣ２０３でデジタル化され、デジタル化された映像信号はＭＰＵ２１３内でホワイトバランスや輪郭強調等の信号処理を施される。そして、信号処理された映像信号は、ＪＰＥＧ等のファイル形態に圧縮され、メモリカードスロット２１１に装着された着脱可能なメモリカード２１２に書き込まれる。なおＭＰＵ２１３は、マイクロプロセッサ機能に加えて画像処理機能、メモリカードアクセス機能、通信インタフェース等が複合された専用ＩＣとなっている。ＭＰＵ２１３が行う処理には、フラッシュメモリ等のＲＯＭ２０８に格納されたプログラムにより実行される以下の様な撮影処理がある。
【００２３】
ＭＰＵ２１３は、必要に応じてＲＡＭ２０９に画像データを展開して画像処理を実行する。またＭＰＵ２１３は、入力された映像信号を基にモータドライバ２０６を経由してフォーカスモータ２０４、ズームモータ２０５を駆動し、光学レンズ２０１を移動させ、ズーム機能、オートフォーカス機能を実現する。また撮影時においてＭＰＵ２１３は、ＣＣＤ２０２上に結像した被写体像をＬＣＤ１０１に表示させる。またＭＰＵ２１３は、シャッターボタン、撮影モード設定等の操作部材１０２の操作を監視し、各種指示を受け付ける。また暗中での撮影においてＭＰＵ２１３は、内蔵ストロボ２１０の充電状態を監視して充電が完了したら充電処理を止める。
【００２４】
次にデジタルカメラ１００の再生機能について説明する。デジタルカメラ１００は、ＭＰＵ２１３によりメモリカードスロット２１１に装着されているメモリカード２１２から、撮影済みの画像ファイルを読み出し、ＬＣＤドライバ２０７を経由してＬＣＤ１０１上に撮影済み画像を表示する。この際、画像の選択等の操作は、ＭＰＵ２１３により操作部材１０２が監視されることでなされ、必要な処理が行われる。また再生機能の一つとして上述したようなダイレクトプリントが挙げられる。ダイレクトプリントは、デジタルカメラ１００から画像を選択してプリンタ１５０でプリントを行う機能である。なお、メモリカード２１２から画像を選択する処理は本発明でいう選択手段による処理に対応しており、選択された画像をＬＣＤ１０１に表示する処理は本発明でいう表示手段の処理に対応する。
【００２５】
次に図３を用い昇華型プリンタを例としてプリンタ１５０の構成について説明する。図３は、プリンタ１５０の構成を示すブロック図である。
【００２６】
図３において、３０１はセンサ群であり、印刷用紙の先端検出センサ、印刷用紙の搬送状態を検出するセンサ、インクリボンの先頭検出センサ等の印刷処理における状態検出を行うセンサ等の複数のセンサを含んでなる。３０２は印刷用紙の搬送を行うステッピングモータである。３０３はステッピングモータ３０２を駆動するステッピングモータドライバである。３０４はサーマルヘッドとインクリボン、又は印刷用紙を圧着させたり離したりするポジションチェンジモータである。３０５はインクリボンを巻き上げるリボンフィードモータである。３０６はＤＣモータドライバであり、ポジションチェンジモータ３０４、リボンフィードモータ３０５を駆動する。
【００２７】
３０７はプリンタ１５０の制御プログラムが格納されたフラシュメモリ等のＲＯＭである。３０８は印刷画像データの作成等に使われ、印刷画像データが展開される書き換え可能なＲＡＭである。印刷時においてＭＰＵ３１３、熱制御ＩＣ３０９は、ＲＡＭ３０８に展開された印刷画像データを基にサーマルヘッド３１０の制御を行う。
【００２８】
１５３はダイレクトプリント用の通信インタフェース（ここでは、通信インタフェースＡとする）、１５４はＰＣ接続用の通信インタフェース（ここでは、通信インタフェースＢとする）である。１５６は第一のメモリカードスロット、１６１は第一のメモリカードスロット１５６に装着されるメモリカードである。図１においては第二のメモリカードスロット１５７、第三のメモリカードスロット１５８、第四のメモリカードスロット１５９を示したが、図３の説明では割愛する。
【００２９】
３０９はサーマルヘッド３１０を駆動する熱制御ＩＣである。３１０は印刷用紙にインクを印字又は印画するサーマルヘッドである。３１１はＬＣＤ１５１を駆動するＬＣＤドライバである。１５２は電源スイッチ、印刷指示、画像選択等を行う操作部材である。３１２は用紙カセット種別検出部であり、プリンタ１５０内に装着されている印刷用紙、インクリボン一体型の印刷用紙カセット（不図示）の種別を判別する。印刷用紙カセットは印刷用紙サイズ別に予め印刷用紙とインクリボンが封入されている。そのため印刷用紙に天地方向があってもカセットに対する印刷用紙の方向は一義的に決まり、カセット種別の検出により紙の種別が判定できる。３１３はプリンタ１５０の印刷処理を制御するＭＰＵである。ＭＰＵ３１３は、先に説明したデジタルカメラ１００と同様に、マイクロプロセッサ機能に加えて画像処理機能、メモリカードアクセス機能、通信インタフェース等が複合された専用ＩＣとなっている。
【００３０】
このように構成されたプリンタ１５０は、１５６〜１５９のメモリカードスロットに装着されたメモリカードから画像データを読み出して、ＬＣＤ１５１に画像を表示することができる。また、ＬＣＤ１５１に表示する画像は、操作部材１５２により選択して印刷することが可能である。
【００３１】
ここでデジタルカメラ１００とプリンタ１５０とを接続した状態において行う印刷動作（ダイレクトプリント）を説明する。
【００３２】
まずデジタルカメラ１００において操作部材１０２を操作することで、ＬＣＤ１０１にデジタルカメラ１００内に内蔵された取り外し可能なメモリカード２１２に保存されている撮影済みの画像の表示を行う。
【００３３】
上述のように画像を表示した状態において、使用者は操作部材１０２を操作して印刷画像の選択、印刷指示を行う。使用者によりデジタルカメラ１００からプリンタ１５０に対して印刷指示がなされると、デジタルカメラ１００は取り外し可能なメモリカードからＪＰＥＧ等に加工した画像ファイルを読み出し、プリンタ１５０に対しファイル転送を行う。
【００３４】
画像データを転送されたプリンタ１５０は、ＪＰＥＧ等に加工された画像ファイルを受信し、印刷用紙サイズに見合った画像サイズにリサイズして印刷用の印画データを作成する。そして昇華型プリンタのプリンタ１５０は、主走査方向においてステッピングモータ３０２により印刷用紙を送りながら、副走査方向に並べられたサーマルヘッド３１０の１ピクセル中の加熱回数によりインクリボンのインクを印刷用紙上に昇華させ諧調表現を行う。また、この際インクリボンはリボンフィードモータ３０５により印刷用紙搬送と同時に巻き上げられる。
【００３５】
ここで、図４に印刷用紙の搬送方向（主走査方向）とヘッド方向（副走査方向）との関係を示す。図４において、４０１は副走査方向に並べられたサーマルヘッドを模式的に示したものである。４０２は印刷用紙であり、４０３は印刷用紙の先端である印刷用紙先端部である。本図に参照されるように印刷用紙の搬送方向（主走査方向）とヘッド方向（副走査方向）とは直行する位置関係となり、印刷用紙の搬送に伴い、上側からインクが昇華されることになる。
【００３６】
プリンタ１５０においては、印刷に先立ちインクリボンの先頭検出を行うようにしている（即ち、インクリボンの色を判別する）。またプリンタ１５０においては、各印刷用紙のサイズごとに使用するヘッド数、主走査方向のピクセル数が予め設定されている。このような構成とすることで、プリンタ１５０では１つの色に係る主走査方向への走査が終了すると印刷用紙を主走査開始位置まで戻し、次色の走査を始めるようにすることができる。そして主走査方向への走査をイエロー、マゼンタ、シアンの３色の昇華を繰り返し、最後にオーバーコートの処理をして印刷を完了する。
【００３７】
このような印刷動作においては、印刷用紙に天地方向が存在しない場合、印刷用紙と印刷画像の天地方向は意識する必要は無いが、印刷用紙に天地方向が存在した場合、印刷画像の天地方向との関係が発生する。例えば印刷用紙が葉書用のポストカード用紙であると印刷用紙の印刷面の裏面には切手添付位置の表示、郵便番号表記位置の表示等が予め印刷されており、このような場合には印刷画像の天地方向との関係が発生する。また、デジタルカメラ１００での撮影時にデジタルカメラ１００を縦に構えて行っていた場合にも、印刷用紙の天地方向と印刷画像の天地方向との関係が発生する。図５にデジタルカメラ１００を縦に構えて撮影をした場合の画像についての印刷用紙の天地方向と印刷画像の天地方向との関係を示す。
【００３８】
図５において、５ａ、５ｂは印刷面の印刷画像、５ｃは印刷面の裏面である宛名面を示している。５ａ、５ｃの組み合わせでは印刷画像の天地方向と、印刷面の裏面の宛名面の方向とが一致している。一方、５ｂ、５ｃの組み合わせでは印刷画像の天地方向と印刷用紙の天地方向が一致しなくなっている。印刷物としては印刷画像の天地方向と宛名面の天地方向が一致している方が一般的に好ましい。
【００３９】
デジタルカメラ１００とプリンタ１５０との接続において印刷画像の天地方向と印刷用紙の天地方向を合わせるには、給紙される印刷用紙の天地方向とプリンタ１５０の画像印刷方向に依存してしまう。このような場合、使用者がその関係に着目し設定することは困難であり、使用者の意に添わない失敗印刷が発生する。このような失敗は、印刷用紙、インク等の失敗コストの面からも好ましいものではない。本発明は係る事情を解消するべきものである。以下においてその具体的な実現方法に係る処理を説明する。
【００４０】
図６は、デジタルカメラ１００において表示する画像を示す図である。図６（Ａ）はデジタルカメラ１００の背面を示している。図６（Ａ）において、６００はＬＣＤ１０１上に表示された印刷対象画像であり、デジタルカメラ１００内に装着された取り外し可能なメモリカード２１２から読み出された画像ファイルに含まれる画像である。ＬＣＤ１０１に表示された印刷対象画像６００は、操作部材１０２からの操作でメモリカード２１２に記録されている他の記録画像に切り換えることが可能である。ＬＣＤ１０１に表示される画像を切換えながら、ユーザはメモリカードに記録されている複数の画像の中から印刷対象の画像を選択することができる。
【００４１】
図６（Ｂ）及び図６（Ｃ）は、印刷設定を行わせるためにＬＣＤ１０１上に表示する印刷ガイダンス画面６０１を示している。印刷ガイダンス画面６０１において、６００は縮小された印刷対象画像であり、６０１は印刷対象画像６００に重畳表示された印刷用紙方向表示（本発明でいう天地情報に対応するもの）である。本例において印刷用紙方向表示６０２、６０２'は、印刷用紙裏面の切手添付位置を透過表示した態様で示されており、印刷用紙の天地方向を表している。ここで図６（Ｂ）においては印刷対象画像６００と上側と裏面の切手添付位置が相反する位置にあることが印刷用紙方向表示６０２により分かる。一方、図６（Ｃ）においては印刷対象画像６００の上側と裏面の切手添付位置が同じ方向にあることが印刷用紙方向表示６０２'により分かるようになっている。
【００４２】
このように本実施の形態に係るデジタルカメラ１００では、印刷対象画像６００に対して裏面の天地方向を示す印刷用紙方向表示６０２、６０２'を表示することにより、使用者が印刷用紙の天地方向を確認できるようにしている。
【００４３】
印刷用紙方向表示６０２、６０２'を行うためには、デジタルカメラ１００は、プリンタ１５０が印刷を実行した場合の印刷用紙とＬＣＤ１０１に表示されている印刷対象画像６００の相対関係を把握している必要がある。つまり、プリンタ１５０に送信した印刷対象の画像が印刷用紙に対してどのような位置関係で印刷されるかを把握する必要がある。相対関係を知る手段としては、予めデジタルカメラ１００がプリンタ１５０のプロファイルを記憶しているか、デジタルカメラ１００とプリンタ１５０のネゴシエーション時に相対関係の取得を行う方法が考えられる。相対関係を取得する場合、印刷用紙に対してどのような位置関係で印刷されるかの情報を取得しても良いし、プリンタの印刷方向の関係を取得し、この情報から印刷用紙に対してどのような位置関係で印刷されるかを判断しても良い。本実施の形態ではいずれかの方法でデジタルカメラ１００がその相対関係を知り得ているものとする。
【００４４】
また、印刷ガイダンス画面６０１には、各種の操作・設定ボタンが表示される。６０３は日付、ファイルネーム等の印刷設定を決定するための設定ボタンであり、本例においては標準設定が設定されている。６０４は印刷画像に対する画像補正の設定をするための設定ボタンであり、本例においては標準設定が設定されている。６０５は印刷枚数の設定ボタンであり、本例においては１枚と設定されている。６０６はトリミング処理の設定ボタンであり、６０７は縁無し、縁有り等の印刷用紙関連の設定ボタンである。６０８は印刷の実行指示をするための操作ボタンであり、６０９はメニュー設定と設定項目選択時に一つ階層を戻す機能を兼ねたメニューボタンである。６１０は、プリンタ１５０に対して画像の印刷方向を１８０度回転させる印刷方向反転の指示をするためのボタンである。これら各種操作・設定ボタンは、使用者による操作部材１０２により操作することができる。なお、これらの操作ボタン等は、本例においてはＧＵＩとして構成しているが、ハードウェアで構成しても構わない。また、表示反転ボタン６１０がプリンタ１５０に対して画像の印刷方向を１８０度回転させる印刷方向の反転の指示を行う処理は、本発明でいう回転指示手段の処理に対応する。
【００４５】
次に図７のフローチャートを用いて、本実施形態のデジタルカメラ１００とプリンタ１５０からなるシステムの印刷用紙方向表示６０２、６０２'を表示する処理の流れを説明する。これらの処理はデジタルカメラ１００およびプリンタ１５０のＭＰＵがプログラムメモリから読み出したプログラムに基づいて演算や各部を制御することにより実行され、Ｓ７０１〜Ｓ７１３はデジタルカメラが、Ｓ７１４〜Ｓ７１９はプリンタが実行する。
【００４６】
まずステップＳ７０１においてデジタルカメラ１００は印刷開始の指示を待つ。デジタルカメラ１００の操作部材１０２から印刷指示が行われるとデジタルカメラ１００は、プリンタ１５０に対して印刷指示を送信し、プリンタ１５０が印刷を開始する状態になる。
【００４７】
次にステップＳ７０２においてデジタルカメラ１００は、プリンタ１５０からプリンタに装着されている印刷用紙種別を受信する。印刷用紙種別は、例えば印刷用紙がポストカード用紙であることを示す情報や、その印刷用紙の印刷の際の天地方向についての情報等が含まれる。
【００４８】
次にステップＳ７０３においてデジタルカメラ１００は、ＬＣＤ１０１上の全面において表示していた印刷対象画像の表示を切り換えて、印刷ガイダンス画面の表示をし、使用者に対して印刷設定を行うことを促す。印刷設定とは、上述した印刷ガイダンス画面６０１における各種操作・設定ボタンで設定可能な項目であり、縁あり、縁なしの指定、印刷枚数の指定、トリミング処理等の印刷にまつわる各種設定である。
【００４９】
次にステップＳ７０４においてデジタルカメラ１００は、印刷用紙種別の通知を受けて印刷用紙種別が天地方向を持つ印刷用紙（例えば、ポストカード用紙）であるかどうかを判定する。天地方向を持つ印刷用紙であった場合はステップＳ７０５に進み、そうでない場合はステップＳ７１３に進む。なお、ステップＳ７０４の処理は、本発明でいう用紙情報取得手段の一処理例に対応する。
【００５０】
ステップＳ７０５においてデジタルカメラ１００は、表示装置１０１上に印刷用紙の天地方向を示す印刷用紙方向表示を行う。印刷用紙方向表示においては、図６のように画像に切手添付位置が重畳して表示される。ここでは上述した図６（Ｂ）における、ポストカード用紙がプリンタにセットされている時の印刷用紙方向表示６０２が表示されたものとして、以降の説明をする。
【００５１】
次にステップＳ７０６においてデジタルカメラ１００は、印刷処理の継続（印刷処理の実行指示）を待つ。図６（Ｂ）の状態においては、印刷対象画像６００の表示と印刷用紙方向表示６０２が相反している。ここでステップＳ７０６において印刷処理の継続が指示された場合には、ステップＳ７１３に進む。そして、デジタルカメラ１００は印刷対象の画像ファイルをプリンタ１５０に送信するがこの場合、以降の印刷処理で印刷画像と印刷用紙の天地が逆となった画像が印刷されることになる。そのため、デジタルカメラ１００はステップＳ７０６において印刷処理の実行指示を待つとともに、ステップＳ７０７において印刷方向の反転の指示を待つ。なお、印刷方向の反転の指示は、ユーザが表示反転ボタン６１０を操作部材１０２から選択することでなされる。
【００５２】
ステップＳ７０７で印刷方向の反転の指示（印刷方向を１８０度回転させるための回転指示）を受けた場合、デジタルカメラ１００はステップＳ７０８に進む。そして、ＬＣＤ１０１上の印刷用紙方向表示（切手添付位置表示）６０２を１８０度回転させて表示を行う（即ち、印刷用紙方向表示６０２'の表示位置に切り換える）。ここでは、上述した図６（Ｃ）に示した状態になり、印刷対象画像６００と印刷用紙の天地方向が一致した状態となる。
【００５３】
次にステップＳ７０９においてデジタルカメラ１００は、印刷処理の実行指示を待つ。ここで印刷処理の実行の指示を受けた場合はステップＳ７１０に進む。そしてデジタルカメラ１００は、プリンタ１５０に対して印刷方向を反転させて印刷させるための通知（回転情報の通知）を行い、その後ステップＳ７１３においてプリンタ１５０に画像ファイルの送信を行う。本実施形態では、デジタルカメラ１００は、プリンタ１５０に対して印刷方向を反転させて印刷させるための通知を行うとしたが、画像を１８０度回転させて印刷することを指示するための情報をデジタルカメラ１００からプリンタ１５０に送信するようにしてもよい。
【００５４】
またステップＳ７０９で印刷処理の実行の指示がされない場合はステップＳ７１１においてデジタルカメラ１００は、印刷方向の反転指示を待ち、印刷方向反転の指示があった場合はステップＳ７１２において印刷用紙方向表示の反転表示を行う。その後はステップＳ７０６に戻り、印刷処理の実行の指示を待ち、該指示があった場合はステップＳ７１３に移行する。つまり、印刷処理の実行指示が入力されるまで、印刷処理の実行指示と印刷方向の反転の指示を受け付ける。
【００５５】
ステップＳ７１３で画像ファイルを送信されたプリンタ１５０は、ステップＳ７１４においてデジタルカメラ１００から受信した画像ファイルから印刷用の印刷画像データを生成する。
【００５６】
次にステップＳ７１５においてプリンタ１５０は、印刷画像データの生成後、デジタルカメラ１００から印刷画像反転指示がなされているか否かを確認する。印刷画像反転通知がされている場合はステップＳ７１６に進み、されていない場合はステップＳ７１７に進む。
【００５７】
ステップＳ７１６においてプリンタ１５０は、サーマルヘッド３１０に対する印刷画像データの送出を、生成した印刷画像データの終端部分から行うように設定する（即ち、通常の印刷方向を反転させて印刷を行うように設定する）。本実施形態では印刷データを終端部分から送信することにより印刷方向の反転を行ったが、反転の指示があった場合に、画像データを１８０度回転させてから印刷用画像データを生成することにより印刷方向の反転を行っても良い。
【００５８】
ステップＳ７１７においてプリンタ１５０は、ステップＳ７１４またはＳ７１６において生成された印刷画像データに基づき、サーマルヘッド３１０の発熱を制御することにより、一色分の実際の印画処理を行う。
【００５９】
続いてステップＳ７１８においてプリンタ１５０は、全ての色、即ちイエロー、マゼンタ、シアンが全て印画処理されたか否かを確認し、全てされてない場合はステップＳ７１４に戻り、次の色の印刷処理を行うようにする。また、全ての色が印画処理された場合はステップＳ７１９に進み、オーバーコート処理を行い印刷を終了する。
【００６０】
以上の処理により、本実施の形態に係るダイレクトプリントシステムでは、印刷開始前に印刷画像と印刷用紙の天地方向の関係を確認でき、それに基づき印刷画像と印刷用紙の天地を合わせることで、使用者の意に添わない印刷処理をなくすことが可能となる。また必要に応じて使用者がプリンタ１５０における印刷方向を反転できるため、使用者の意に添った印刷方向に印刷することを容易に実施できる。
【００６１】
また、印刷用紙の天地方向と印刷画像の天地方向が一致しない可能性が有る操作として、撮影画像から一部画像領域を抽出して印刷用紙サイズにリサイズして印刷するトリミング機能の実行時がある。上述のような印刷用紙方向表示は、このような処理の後にしてもよい。以下、図８を用いてトリミング操作後に、印刷用紙方向表示をした例を説明する。
【００６２】
図８はデジタルカメラ１００において表示する画像を示す図である。なお、図８において上述した図６と同様の部分については、同符号で示し説明は省略する。
【００６３】
図８（Ａ）は、上述した図６（Ａ）と同様に、デジタルカメラ１００の背面を示している。図８（Ｂ）及び図８（Ｃ）は、ＬＣＤ１０１上に表示される印刷設定を行うための印刷ガイダンス画面６０１を示している。
【００６４】
印刷ガイダンス画面６０１においては縮小された印刷対象画像６００が示される。印刷対象画像６００において、８０１はトリミング処理後の画像のサイズを示す画像抽出領域表示である。画像抽出領域表示（トリミング枠）８０１は、印刷ガイダンス画面６０１に移行後の印刷ガイダンス画面のトリミング設定ボタン６０６を選択して、その後操作部材１０２によりトリミングの操作を行った場合に表示される。画像抽出領域表示８０１は、操作部材１０２によりトリミング枠サイズ、トリミング枠の位置の変更が可能である。デジタルカメラ１００においてトリミングをして印刷処理を実行しようとする場合は、画像抽出領域に係るトリミング領域情報がプリンタ１５０に送信される。そしてプリンタ１５０は、デジタルカメラ１００から送信されたトリミング領域情報を基に、デジタルカメラ１００から送信される画像ファイルからトリミング領域を特定して印刷用紙サイズにリサイズして印刷する。
【００６５】
印刷対象画像６００において、８０２、８０２'は印刷対象画像６００に重畳表示された印刷用紙方向を示す切手貼付位置表示である。印刷用紙に天地方向がある場合には、切手貼付位置表示８０２、８０２'がＬＣＤ１０１に表示される。また、この切手貼付位置表示はトリミング領域内に表示され、ユーザからの印刷方向反転指示に応じて、切手貼付位置表示をトリミング領域内で１８０度回転させて表示する。
【００６６】
図８（Ｂ）においては印刷対象画像６００の上側と裏面の切手添付位置が相反する位置にあることが切手貼付位置表示８０２により分かるようになっている。このように、図８（Ａ）に示す印刷対象画像６００に対してトリミングを指示した場合、印刷用紙の天地方向と印刷画像の天地方向の不一致が発生する場合がある。従って、ユーザからの印刷方向反転指示に応じて切手貼付位置表示８０２をトリミング領域内で回転できるようにする。つまり、図８（Ｂ）の状態で印刷方向反転指示が入力された場合は、図８（Ｂ）の状態から図８（Ｃ）の状態にできるようなユーザインタフェースを提供する。そして、印刷開始前に印刷画像と印刷用紙の天地方向の関係を使用者が確認できるようにして、図７で説明したような印刷処理を実行することで、使用者の意に添わない印刷処理をなくすことが可能となる。
【００６７】
（第２の実施の形態）
次に本発明の第２の実施の形態について説明する。第１の実施の形態では、操作部材１０２により印刷ガイダンス画面６０１における表示反転ボタン６１０を用いて印刷対象画像の反転操作を行ったが、本実施の形態では、画像を反転させる操作としてデジタルカメラ１００の上下を反転させることで実行する。即ち、使用者が見ている印刷対象画像を反転させることで印刷方向が反転するユーザインタフェースを提供し、ユーザが直感的に操作をできるようにする。
【００６８】
本実施の形態では、第１の実施の形態と同様に、デジタルカメラ１００から印刷指示が行われると、プリンタ１５０に装着された印刷用紙に天地方向がある場合、印刷実行前に印刷用紙方向を示す切手貼付位置表示と印刷対象画像の表示が行われる。
【００６９】
以下、図９、１０を用いて、本実施の形態に係る印刷用紙方向表示についての流れを説明する。なお、図９、１０において第１の実施の形態と同様の部分については同符号で示す。
【００７０】
図９（Ａ）はデジタルカメラ１００の所定の姿勢における背面を示す図であり、図９（Ｂ）はこの姿勢における印刷ガイダンス画面を示す図である。図９（Ｃ）は、図９（Ａ）の所定の姿勢からデジタルカメラ１００を反転させた場合の背面を示す図であり、図９（Ｄ）はこの際の印刷ガイダンス画面を示す図である。
【００７１】
本実施の形態においてデジタルカメラ１００は姿勢検出用のセンサを具備している。姿勢検出センサは撮影時にデジタルカメラの姿勢を検出し撮影済みの画像ファイルに撮影時のデジタルカメラの姿勢情報を撮影情報として残すことができる。本実施の形態では、この姿勢の情報を利用する。ＬＣＤ１０１に表示された印刷対象画像と印刷後の印刷用紙との位置関係が使用者の意に添わない場合に使用者がデジタルカメラ１００を１８０度回転させることで、印刷用紙方向を示す切手貼付位置を１８０度回転させる。そしてその後の印刷実行の指示により、デジタルカメラは必要に応じてプリンタ１５０に印刷方向を反転させて印刷することまたは画像を１８０度回転させて印刷することを指示し、プリンタは反転（回転）指示に応じて印刷処理を行う。
【００７２】
即ち、図９（Ｂ）に参照される状態においては、印刷対象画像６００と上側と裏面の切手添付位置が相反する位置にある。そこで、使用者は図９（Ｃ）に参照される姿勢にデジタルカメラ１００を１８０度回転させる。ここでデジタルカメラ１００に具備された姿勢検出センサはデジタルカメラ１００が１８０度回転させられたことを検出し、印刷ガイダンス画面９０１を図９（Ｄ）に参照されるように切手貼付位置を１８０度回転して表示する。
【００７３】
ここで図９（Ｄ）に参照される印刷ガイダンス画面９０１'は、図９（Ｂ）における印刷ガイダンス画面９０１の切手貼付位置を１８０度回転させたものであるが、切手貼付位置９０２'が画像６００の上側に表示されている。即ち、この場合、印刷対象画像６００の上側と印刷用紙方向表示９０２'が同一の方向に位置することなる。これにより、使用者は印刷画像と印刷用紙の天地方向の関係を確認できる。そして、この状態において使用者は印刷の実行を指示し、デジタルカメラ１００が上述した図７に示したフローチャートに従い、プリンタ１５０に印刷方向の反転を指示することで、印刷処理が行われることになる。
【００７４】
以上のように本実施の形態においても、印刷開始前に印刷画像と印刷用紙の天地方向の関係を確認でき、それを基に使用者が操作をすることで、印刷画像と印刷用紙の天地方向を一致させることができ、使用者の意に添わない印刷処理をなくすことが可能となる。また、デジタルカメラ１００を反転させるという直感的な操作で意図する印刷画像を得ることができるため、より使い易いプリントシステムを実現することができる。
【００７５】
また、本実施の形態においても、印刷対象画像に対するトリミング操作後に印刷用紙方向表示をし、デジタルカメラ１００を反転させることで印刷画像と印刷用紙の天地方向を一致できるようにしてもよい。図１０は、トリミング処理時の印刷ガイダンス画面を示す図である。
【００７６】
図１０はデジタルカメラ１００において表示する画像を示す図である。なお、図１０において上述した図９と同様の部分については、同符号で示し説明は省略する。
【００７７】
図１０（Ａ）はデジタルカメラ１００の所定の姿勢における背面を示す図であり、図１０（Ｂ）はこの姿勢における印刷ガイダンス画面を示す図である。図１０（Ｃ）は、図１０（Ａ）の所定の姿勢からデジタルカメラ１００を１８０度反転させた場合の背面を示す図であり、図１０（Ｄ）はこの際の印刷ガイダンス画面を示す図である。
【００７８】
図１０（Ｂ）においては、印刷対象画像６００におけるトリミング処理後の画像抽出領域表示１００８の上側と裏面の切手添付位置が相反する位置にあることが印刷用紙方向表示１００３により分かるようになっている。そして使用者はこれを確認して、デジタルカメラ１００を図１０（Ｃ）に参照されるように１８０度反転させる。これにより、図１０（Ｄ）に参照されるように、印刷対象画像６００における画像抽出領域の上側と印刷用紙方向表示１００３'が同一の方向に位置することなる。そしてこの状態において印刷を指示すると、デジタルカメラ１００は、プリンタ１５０に印刷画像の反転を指示し、印刷処理を行うようにすれば、使用者の意に添わない印刷処理をなくすことが可能となる。
【００７９】
以上のようにトリミング処理時もデジタルカメラ１００を１８０度回転させることにより印刷用紙方向表示を反転させるようにしてもよい。
【００８０】
（その他の実施の形態）
上述した実施の形態においては、印刷用紙の天地方向を示す表示の例として、印刷用紙裏面の切手添付位置を透過表示した態様を説明したが、これ以外の態様であっても構わない。例えば「上」と文字で表示する態様であっても構わない。
また、上述の実施形態では、デジタルカメラとプリンタのダイレクトプリントシステムで説明したが、これに限らず、プリンタで画像を印刷する際の印刷設定を行う画像処理装置全てに適応できる。また、デジタルカメラでの印刷設定や印刷方向の表示および印刷方向反転のための処理をプリンタに組み込みことで、プリンタ単体でも実現可能である。
また、上述の実施形態では、印刷方向反転のための回転指示に応じて、画像は回転させずに切手貼付位置を回転させたが、切手貼付位置は回転させずに画像を回転させても同様の効果が得られる。
また、上述の実施形態では、プリンタにセットされている印刷用紙の種別の情報を、プリンタから取得した。しかしこれに限らず、デジタルカメラ等の画像処理装置やプリンタで印刷用紙の種別を設定する手段（本発明でいう印刷用紙設定手段に対応）がある場合は、その手段を用いて設定された印刷用紙の種別の情報を用いてもよい。この場合、ポストカード等の用紙の天地がある用紙が選択された場合にのみ、切手貼付位置の表示を行えばよい。
【００８１】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００８２】
この場合、記憶媒体から読み出されたプログラムコード自体が上述した実施形態の機能を実現することになり、プログラムコード自体及びそのプログラムコードを記憶した記憶媒体は本発明を構成することになる。
【００８３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８４】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００８５】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００８６】
【図１】本発明の実施の形態に係るダイレクトプリントシステムの構成を示す図である。
【図２】本発明の実施の形態に係るデジタルカメラの構成を示すブロック図である。
【図３】本発明の実施の形態に係るプリンタの構成を示すブロック図である。
【図４】本発明の実施の形態に係るプリンタの印刷用紙の搬送方向（主走査方向）とヘッド方向（副走査方向）との関係を示す図である。
【図５】本発明の実施の形態に係るダイレクトプリントシステムにおいて用いる印刷用紙の例を示す図である。
【図６】本発明の第１の実施の形態に係るデジタルカメラにおいて表示する画像を示す図である。
【図７】本発明の第１の実施の形態に係るダイレクトプリントシステムにおける印刷処理及び印刷用紙方向表示の処理の流れを説明するフローチャートである。
【図８】本発明の第１の実施の形態に係るデジタルカメラにおいて表示する画像を示す図である。
【図９】本発明の第２の実施の形態に係るデジタルカメラにおいて表示する画像を示す図である。
【図１０】本発明の第２の実施の形態に係るデジタルカメラにおいて表示する画像を示す図である。
【符号の説明】
【００８７】
１００  デジタルカメラ
１０１  表示装置
１０２  操作部材
１０３  通信インタフェース
１５０  プリンタ
１５３  操作部材
２０２  光電変換素子（撮像素子）
２０７  ＬＣＤドライバ
２０８  ＲＯＭ
２０９  ＲＡＭ
２１１  メモリカードスロット
２１２  メモリカード
２１３  ＭＰＵ
３０１  センサ郡
３０８  ＲＡＭ
３０９  熱制御ＩＣ
３１０  サーマルヘッド
３１３  ＭＰＵ
【図１】
2009267973.tif 000003
【図２】
2009267973.tif 000004
【図３】
2009267973.tif 000005
【図４】
2009267973.tif 000006
【図５】
2009267973.tif 000007
【図６】
2009267973.tif 000008
【図７】
2009267973.tif 000009
【図８】
2009267973.tif 000010
【図９】
2009267973.tif 000011
【図１０】
2009267973.tif 000012